(57)【要約】【課題】１ペダルモードを制御モードとして設定可能な車両のクルーズコントロールにおける操作性を適切に向上させることを可能とする。【解決手段】通常走行制御において、アクセル開度と対応する目標制駆動力がアクセル開度の全域に亘って駆動側となっている通常特性をアクセル開度特性として用いる通常モードと、アクセル開度と対応する目標制駆動力がアクセル開度の増大に伴い制動側から駆動側に転じる１ペダル特性をアクセル開度特性として用いる１ペダルモードとを制御モードとして切り替えて実行可能であり、クルーズコントロールにおいて、通常走行制御における制御モードとして１ペダルモードが設定されている場合、オーバーライド用のアクセル開度特性として、アクセル開度と対応する目標制駆動力がアクセル開度の全域に亘って１ペダル特性より大きく、かつ、通常特性より小さくなっている中間特性を用いる車両の制御装置が提供される。【選択図】図４
2020168915.tif 000002
【特許請求の範囲】
【請求項１】
車両の加減速度をドライバによる加減速操作に応じて制御する通常走行制御と、前記車両の加減速度を前記ドライバによる加減速操作によらずに自動で制御するクルーズコントロールとを切り替えて実行可能な制御部を備え、
前記制御部は、
前記通常走行制御において、
前記車両のアクセル開度と対応する目標制駆動力が前記アクセル開度の全域に亘って駆動側となっている通常特性を前記車両のアクセル開度特性として用いて、前記車両の加減速度を制御する通常モードと、
前記アクセル開度と対応する目標制駆動力が前記アクセル開度の増大に伴い制動側から駆動側に転じる１ペダル特性を前記アクセル開度特性として用いて、前記車両の加減速度を制御する１ペダルモードと、を制御モードとして切り替えて実行可能であり、
前記クルーズコントロールにおいて、
前記アクセル開度と対応する目標制駆動力が前記クルーズコントロールにおける目標制駆動力を超えた場合に、前記アクセル開度と対応する目標制駆動力に基づいて前記車両の加減速度を制御するオーバーライドを実行し、
前記通常走行制御における前記制御モードとして前記１ペダルモードが設定されている場合、前記オーバーライド用の前記アクセル開度特性として、前記アクセル開度と対応する目標制駆動力が前記アクセル開度の全域に亘って前記１ペダル特性より大きく、かつ、前記通常特性より小さくなっている中間特性を用いて、前記アクセル開度と対応する目標制駆動力を決定する、
車両の制御装置。
【請求項２】
前記制御部は、前記クルーズコントロールにおいて、前記通常走行制御における前記制御モードとして前記１ペダルモードが設定されている場合であっても、前記通常特性と前記１ペダル特性との間での前記クルーズコントロールにおける目標制駆動力と対応する前記アクセル開度の差が閾値より小さい場合には、前記オーバーライド用の前記アクセル開度特性として前記１ペダル特性を用いる、
請求項１に記載の車両の制御装置。
【請求項３】
前記制御部は、設定されている前記制御モードを表示装置に表示させる、
請求項２に記載の車両の制御装置。
【請求項４】
前記制御部は、
前記通常走行制御において、互いに異なる前記１ペダル特性を用いる複数の前記１ペダルモードを前記制御モードとして切り替えて実行可能であり、
前記クルーズコントロールにおいて、前記通常走行制御における前記制御モードとして前記１ペダルモードが設定されている場合、前記オーバーライド用の前記アクセル開度特性として用いられる前記中間特性を、前記通常走行制御における前記制御モードとして設定されている前記１ペダルモードに応じて異ならせる、
請求項１〜３のいずれか一項に記載の車両の制御装置。
【発明の詳細な説明】
【技術分野】
【０００１】
本発明は、車両の制御装置に関する。
【背景技術】
【０００２】
近年、車両の加減速度をドライバによる加減速操作に応じて制御する通常走行制御において、アクセル操作により車両を加速させてブレーキ操作により車両を減速させる操作を実現するための通常モードの他に、アクセル操作のみによって車両を加速及び減速させる操作を実現するための１ペダルモードを制御モードとして設定可能な車両がある（例えば、特許文献１を参照）。具体的には、１ペダルモードでは、車両のアクセル開度に対する目標制駆動力の特性であるアクセル開度特性として、アクセル開度と対応する目標制駆動力がアクセル開度の増大に伴い制動側から駆動側に転じる１ペダル特性が用いられる。
【先行技術文献】
【特許文献】
【０００３】
【特許文献１】特開２０００−２０５０１５号公報
【発明の概要】
【発明が解決しようとする課題】
【０００４】
ところで、近年、車両の加減速度の制御に関する技術として、車両の加減速度をドライバによる加減速操作によらずに自動で制御するクルーズコントロールがある。そして、クルーズコントロールの実行中に、追い越し走行等をドライバの意図に即して実現させるために、ドライバによる加減速操作に応じて車両の加減速度が制御されることがある。具体的には、このような制御として、アクセル開度と対応する目標制駆動力がクルーズコントロールにおける目標制駆動力を超えた場合に、アクセル開度と対応する目標制駆動力に基づいて車両の加減速度を制御するオーバーライドが実行されることが一般的である。ここで、通常走行制御における制御モードとして上記の１ペダルモードが設定されている場合、通常走行制御における制御モードとして上記の通常モードが設定されている場合と比較して、クルーズコントロールにおける目標制駆動力と対応するアクセル開度が大きくなってしまう。つまり、オーバーライドを実行させるために必要なアクセル開度が大きくなってしまい、アクセル操作量の増大に伴い操作性が低下してしまうおそれがある。
【０００５】
そこで、本発明は、上記問題に鑑みてなされたものであり、本発明の目的とするところは、１ペダルモードを制御モードとして設定可能な車両のクルーズコントロールにおける操作性を適切に向上させることが可能な、新規かつ改良された車両の制御装置を提供することにある。
【課題を解決するための手段】
【０００６】
上記課題を解決するために、車両の加減速度をドライバによる加減速操作に応じて制御する通常走行制御と、前記車両の加減速度を前記ドライバによる加減速操作によらずに自動で制御するクルーズコントロールとを切り替えて実行可能な制御部を備え、前記制御部は、前記通常走行制御において、前記車両のアクセル開度と対応する目標制駆動力が前記アクセル開度の全域に亘って駆動側となっている通常特性を前記車両のアクセル開度特性として用いて、前記車両の加減速度を制御する通常モードと、前記アクセル開度と対応する目標制駆動力が前記アクセル開度の増大に伴い制動側から駆動側に転じる１ペダル特性を前記アクセル開度特性として用いて、前記車両の加減速度を制御する１ペダルモードと、を制御モードとして切り替えて実行可能であり、前記クルーズコントロールにおいて、前記アクセル開度と対応する目標制駆動力が前記クルーズコントロールにおける目標制駆動力を超えた場合に、前記アクセル開度と対応する目標制駆動力に基づいて前記車両の加減速度を制御するオーバーライドを実行し、前記通常走行制御における前記制御モードとして前記１ペダルモードが設定されている場合、前記オーバーライド用の前記アクセル開度特性として、前記アクセル開度と対応する目標制駆動力が前記アクセル開度の全域に亘って前記１ペダル特性より大きく、かつ、前記通常特性より小さくなっている中間特性を用いて、前記アクセル開度と対応する目標制駆動力を決定する、車両の制御装置が提供される。
【０００７】
前記制御部は、前記クルーズコントロールにおいて、前記通常走行制御における前記制御モードとして前記１ペダルモードが設定されている場合であっても、前記通常特性と前記１ペダル特性との間での前記クルーズコントロールにおける目標制駆動力と対応する前記アクセル開度の差が閾値より小さい場合には、前記オーバーライド用の前記アクセル開度特性として前記１ペダル特性を用いてもよい。
【０００８】
前記制御部は、設定されている前記制御モードを表示装置に表示させてもよい。
【０００９】
前記制御部は、前記通常走行制御において、互いに異なる前記１ペダル特性を用いる複数の前記１ペダルモードを前記制御モードとして切り替えて実行可能であり、前記クルーズコントロールにおいて、前記通常走行制御における前記制御モードとして前記１ペダルモードが設定されている場合、前記オーバーライド用の前記アクセル開度特性として用いられる前記中間特性を、前記通常走行制御における前記制御モードとして設定されている前記１ペダルモードに応じて異ならせてもよい。
【発明の効果】
【００１０】
以上説明したように本発明によれば、１ペダルモードを制御モードとして設定可能な車両のクルーズコントロールにおける操作性を適切に向上させることが可能となる。
【図面の簡単な説明】
【００１１】
【図１】本発明の実施形態に係る制御装置が搭載される車両の概略構成を示す模式図である。
【図２】同実施形態に係る制御装置の機能構成の一例を示すブロック図である。
【図３】通常特性及び１ペダル特性の各々におけるアクセル開度と目標制駆動力との関係の一例を示す図である。
【図４】同実施形態に係る制御装置が行う処理の流れの第１の例を示すフローチャートである。
【図５】中間特性におけるアクセル開度と目標制駆動力との関係の一例を示す図である。
【図６】同実施形態に係る制御装置が行う処理の流れの第２の例を示すフローチャートである。
【図７】アダプティブクルーズコントロールにおける目標制駆動力が比較的大きい場合における各アクセル開度特性での当該目標制駆動力と対応するアクセル開度について説明するための図である。
【図８】通常走行制御における制御モードとして設定可能な１ペダルモードの数が複数である場合での複数の１ペダル特性及び複数の中間特性の各々におけるアクセル開度と目標制駆動力との関係の一例を示す図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
なお、以下では、本発明に係る制御装置の一例に相当する制御装置１００が搭載される車両が駆動源として駆動用モータのみを備える電気車両（具体的には、車両１）である例を説明するが、本発明に係る制御装置が搭載される車両は、このような例に限定されない。例えば、本発明に係る制御装置は、駆動源として駆動用モータ及びエンジンを備えるハイブリッド車両に搭載されてもよく、駆動源としてエンジンのみを備えるエンジン車両に搭載されてもよい。
【００１４】
なお、以下では、クルーズコントロールとしてアダプティブクルーズコントロールが実行される例を説明しているが、車速を設定速度に維持する所謂オートクルーズコントロールがクルーズコントロールとして実行されてもよい。その場合、オートクルーズコントロールにおけるオーバーライドにおいて、後述する例と同様に、制御モードとして１ペダルモードが設定されている場合に中間特性をオーバーライド用のアクセル開度特性として用いることによって、操作性を適切に向上させることを実現することができる。
【００１５】
＜１．車両の構成＞
図１〜図３を参照して、本発明の実施形態に係る制御装置１００が搭載される車両１の構成について説明する。
【００１６】
図１は、車両１の概略構成を示す模式図である。
【００１７】
車両１は、駆動源として駆動用モータ２１のみを備え、駆動用モータ２１から出力される動力を用いて走行する電気車両である。
【００１８】
具体的には、図１に示されるように、車両１は、駆動用モータ２１と、インバータ２２と、バッテリ２３と、ブレーキ装置３１と、油圧供給ユニット３２と、マスタシリンダ３３と、車輪４１と、動力伝達系４２と、アクセルペダル５１と、ブレーキペダル５２と、アクセル開度センサ６１と、ブレーキセンサ６２と、表示装置７１と、車速センサ９１と、先行車両センサ９２と、制御装置１００とを備える。
【００１９】
駆動用モータ２１は、車両１の車輪４１に伝達される動力を出力するモータであり、具体的には、多相交流式（例えば、三相交流式）のモータである。駆動用モータ２１は、インバータ２２を介してバッテリ２３と接続されており、バッテリ２３からインバータ２２を介して供給される電力を用いて動力を生成する。また、駆動用モータ２１は、車両１の減速時に、車輪４１の回転エネルギを用いて回生発電する発電機としての機能を有してもよい。
【００２０】
具体的には、駆動用モータ２１の出力軸は、動力伝達系４２を介して車輪４１と接続されており、駆動用モータ２１から出力される動力は、動力伝達系４２を介して車輪４１に伝達される。例えば、動力伝達系４２には、変速機構が設けられており、駆動用モータ２１から出力される動力は、当該変速機構により変速されて車輪４１に伝達される。なお、車両１において、駆動用モータ２１から出力される動力が伝達される車輪４１は、前輪であってもよく、後輪であってもよい。また、動力伝達系４２の出力側から出力される動力は、図示しないプロペラシャフトを介して前輪及び後輪の双方へ伝達されてもよい。また、車両１には、駆動用モータ２１として、前輪に伝達される動力を出力するモータと、後輪に伝達される動力を出力するモータとがそれぞれ独立して設けられていてもよい。
【００２１】
インバータ２２は、直流と交流との間での電力の変換を実行可能な電力変換機であり、具体的には、多相ブリッジ回路を含む。インバータ２２は、バッテリ２３から供給される直流電力を交流電力に変換して駆動用モータ２１へ供給可能である。また、インバータ２２は、駆動用モータ２１により回生発電された交流電力を直流電力に変換してバッテリ２３へ供給可能である。
【００２２】
バッテリ２３は、駆動用モータ２１に供給される電力を蓄電するバッテリであり、例えば、車両１内の補機に供給される電力を蓄電する補機用バッテリ（図示省略）よりも高電圧（例えば、１００Ｖ）のバッテリである。バッテリ２３としては、例えば、リチウムイオン電池、リチウムイオンポリマー電池、ニッケル水素電池、ニッケルカドミウム電池又は鉛蓄電池等の二次電池が用いられる。
【００２３】
マスタシリンダ３３は、倍力装置（図示省略）を介してブレーキペダル５２と接続されており、ブレーキペダル５２の操作量であるブレーキ操作量に応じて、油圧を発生させる。マスタシリンダ３３は、各車輪４１にそれぞれ設けられるブレーキ装置３１と油圧供給ユニット３２を介して接続されている。マスタシリンダ３３によって発生した油圧は、各ブレーキ装置３１へ油圧供給ユニット３２を介して供給される。
【００２４】
ブレーキ装置３１は、車両１に制動力を付与する。具体的には、各ブレーキ装置３１により各車輪４１に対してそれぞれ付与される制動力の合計に相当する制動力が車両１に付与される。
【００２５】
各ブレーキ装置３１は、例えば、ブレーキパッド及びホイールシリンダを含むブレーキキャリパ（図示省略）を有する。ブレーキパッドは、例えば、車輪４１と一体として回転するブレーキディスクの両側面にそれぞれ対向して一対設けられる。ホイールシリンダは、ブレーキキャリパ内に形成され、ホイールシリンダ内にはピストンが摺動可能に設けられる。ピストンの先端部はブレーキパッドと対向して設けられ、ピストンの摺動に伴ってブレーキパッドがブレーキディスクの各側面へ向けて移動するようになっている。マスタシリンダ３３によって発生した油圧は、各ブレーキ装置３１のホイールシリンダへ供給される。それにより、ブレーキキャリパ内のピストン及びブレーキパッドが移動することによって、ブレーキディスクの両側面が一対のブレーキパッドにより挟まれ、各車輪４１に制動力が付与される。
【００２６】
油圧供給ユニット３２は、各ブレーキ装置３１へ供給される油圧を調整可能である。油圧供給ユニット３２は、例えば、ポンプや制御弁等を有する。油圧供給ユニット３２は各ブレーキ装置３１へ供給される油圧を個別に調整可能であってもよく、ブレーキ系統が２系統であってもよい。油圧供給ユニット３２の動作が制御されることにより、各車輪４１に付与される制動力が制御される。
【００２７】
アクセルペダル５１は、ドライバによるアクセル操作を受け付ける。アクセル操作は、具体的には、アクセルペダル５１を踏み込む操作である。
【００２８】
ブレーキペダル５２は、ドライバによるブレーキ操作を受け付ける。ブレーキ操作は、具体的には、ブレーキペダル５２を踏み込む操作である。
【００２９】
アクセル開度センサ６１は、ドライバによるアクセルペダル５１の操作量であるアクセル開度を検出し、検出結果を出力する。
【００３０】
ブレーキセンサ６２は、ドライバによるブレーキペダル５２の操作量であるブレーキ操作量を検出し、検出結果を出力する。
【００３１】
表示装置７１は、情報を視覚的に表示する装置である。表示装置７１として、例えば、ドライバが所望する目的地までのルートを案内するナビゲーション装置、ヘッドアップディスプレイ（Ｈｅａｄ  Ｕｐ  Ｄｉｓｐｌａｙ：ＨＵＤ）と称される技術を利用して種々の画像を表示し得る装置又はフロントガラスに重ねて設けられる透過型ディスプレイ等の表示装置が用いられる。
【００３２】
車速センサ９１は、車両１の速度である車速を検出し、検出結果を出力する。
【００３３】
先行車両センサ９２は、先行車両の有無、自車両と先行車両との間の車間距離及び自車両と先行車両との相対速度等の先行車両に関する情報を検出し、検出結果を出力する。例えば、先行車両センサ９２としては、ミリ波を用いるレーダーセンサ等が用いられる。なお、先行車両センサ９２は、このような例に特に限定されず、例えば、車両の前方を撮像し、得られる画像を用いて先行車両に関する情報を検出するものであってもよい。
【００３４】
制御装置１００は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶する記憶素子であるＲＯＭ（Ｒｅａｄ  Ｏｎｌｙ  Ｍｅｍｏｒｙ）及びＣＰＵの実行において適宜変化するパラメータ等を一時記憶する記憶素子であるＲＡＭ（Ｒａｎｄｏｍ  Ａｃｃｅｓｓ  Ｍｅｍｏｒｙ）等で構成される。
【００３５】
また、制御装置１００は、車両１における各装置（例えば、インバータ２２、油圧供給ユニット３２、アクセル開度センサ６１、ブレーキセンサ６２、表示装置７１、車速センサ９１及び先行車両センサ９２）と通信する。制御装置１００と各装置との通信は、例えば、ＣＡＮ（Ｃｏｎｔｒｏｌｌｅｒ  Ａｒｅａ  Ｎｅｔｗｏｒｋ）通信を用いて実現される。
【００３６】
なお、制御装置１００が有する機能は複数の制御装置により分割されてもよく、その場合、当該複数の制御装置は、ＣＡＮ等の通信バスを介して、互いに接続されてもよい。また、制御装置１００は、下記で説明する以外の他の機能を追加的に有していてもよい。
【００３７】
図２は、制御装置１００の機能構成の一例を示すブロック図である。
【００３８】
例えば、図２に示されるように、制御装置１００は、取得部１１０と、制御部１２０とを有する。
【００３９】
取得部１１０は、制御部１２０が行う処理において用いられる各種情報を取得する。また、取得部１１０は、取得した情報を制御部１２０へ出力する。例えば、取得部１１０は、アクセル開度センサ６１、ブレーキセンサ６２、車速センサ９１及び先行車両センサ９２の各センサと通信することによって、各センサから出力される各種情報を取得する。
【００４０】
制御部１２０は、車両１の各装置の動作を制御する。例えば、制御部１２０は、モータ制御部１２１と、ブレーキ制御部１２２と、表示制御部１２３とを含む。
【００４１】
モータ制御部１２１は、駆動用モータ２１の動作を制御する。具体的には、モータ制御部１２１は、インバータ２２のスイッチング素子の動作を制御することによって、駆動用モータ２１とバッテリ２３との間の電力の供給を制御する。それにより、モータ制御部１２１は、駆動用モータ２１による動力の生成及び発電を制御することができる。
【００４２】
ブレーキ制御部１２２は、ブレーキ装置３１の動作を制御する。具体的には、ブレーキ制御部１２２は、油圧供給ユニット３２の動作を制御することによって、各車輪４１に対してそれぞれ付与される制動力を制御する。それにより、ブレーキ制御部１２２は、ブレーキ装置３１により車両１に付与される制動力を制御することができる。
【００４３】
表示制御部１２３は、表示装置７１の動作を制御する。具体的には、表示制御部１２３は、表示装置７１に対して表示する内容を示す情報を出力することによって、表示装置７１による表示を制御する。
【００４４】
制御部１２０は駆動用モータ２１及びブレーキ装置３１の動作を上記のように制御することによって、車両１の加減速度を制御する。ここで、制御部１２０は、車両１の加減速度をドライバによる加減速操作（具体的には、アクセル操作及びブレーキ操作）に応じて制御する通常走行制御と、車両１の加減速度をドライバによる加減速操作によらずに自動で制御するクルーズコントロールの一例に相当するアダプティブクルーズコントロール（以下、ＡＣＣ（Ａｄａｐｔｉｖｅ  Ｃｒｕｉｓｅ  Ｃｏｎｔｒｏｌ）とも呼ぶ）とを切り替えて実行可能である。
【００４５】
なお、ＡＣＣは、あくまでもクルーズコントロールの一例に過ぎず、制御部１２０は、上述したように、クルーズコントロールとして、車速を設定速度に維持する所謂オートクルーズコントロールを実行してもよい。また、制御部１２０は、オートクルーズコントロールにおいて、後述する例と同様にオーバーライドを実行してもよい。
【００４６】
例えば、車両１には、通常走行制御とＡＣＣとのいずれを実行させるかを選択するためのボタン等の入力装置が設けられており、ドライバは、当該入力装置を操作することにより、通常走行制御又はＡＣＣを選択することができる。制御部１２０は、ドライバにより通常走行制御が選択されている場合、通常走行制御を実行し、ドライバによりＡＣＣが選択されている場合、ＡＣＣを実行する。なお、制御部１２０は、ＡＣＣの実行中に、ドライバによりブレーキ操作等の特定の操作が行われた場合に、ＡＣＣを停止し、通常走行制御への切り替えを行う。
【００４７】
通常走行制御では、制御部１２０は、アクセル開度及びブレーキ操作量に基づいて車両１の目標制駆動力を決定し、車両１の制駆動力が当該目標制駆動力になるように車両１の加減速度を制御する。ここで、制御部１２０は、通常走行制御において、互いに異なるアクセル開度特性（具体的には、アクセル開度に対する目標制駆動力の特性）が用いられる通常モードと１ペダルモードとを制御モードとして切り替えて実行可能である。通常モードは、アクセル操作により車両１を加速させてブレーキ操作により車両１を減速させる操作を実現するための制御モードである。一方、１ペダルモードは、アクセル操作のみによって車両１を加速及び減速させる操作を実現するための制御モードである。
【００４８】
例えば、車両１には、通常走行制御における制御モードを設定するためのボタン等の入力装置が設けられており、ドライバは、当該入力装置を操作することにより、制御モードを設定することができる。制御部１２０は、通常走行制御において、通常モード及び１ペダルモードのうち設定されている制御モードを実行する。
【００４９】
以下、図３を参照して、通常モードにおいて用いられるアクセル開度特性である通常特性及び１ペダルモードにおいて用いられるアクセル開度特性である１ペダル特性について説明する。
【００５０】
図３は、通常特性及び１ペダル特性の各々におけるアクセル開度と目標制駆動力との関係の一例を示す図である。図３では、通常特性におけるアクセル開度と目標制駆動力との関係が線Ｌ１１により示されており、１ペダル特性におけるアクセル開度と目標制駆動力との関係が線Ｌ２１により示されている。ここで、図３における各アクセル開度特性を示す線は、車速を一定（例えば、１０ｋｍ／ｈ）にした場合のアクセル開度と目標制駆動力との関係を示すものである。なお、後述にて参照する図５、図７及び図８における各アクセル開度特性を示す線も同様のものである。また、通常特性において、アクセル開度が０［％］であるときのアクセル開度と対応する目標制駆動力は、クリープ現象を生じさせるために、僅かに駆動側になっていることがあるが、図３の例では、理解を容易にするために、略０［Ｎ］となっている。
【００５１】
通常特性では、図３の線Ｌ１１により示されるように、アクセル開度と対応する目標制駆動力がアクセル開度の全域に亘って駆動側となっている。具体的には、アクセル開度と対応する目標制駆動力は、アクセル開度が０［％］であるときには略０［Ｎ］となっており、アクセル開度が大きくなるにつれて上昇する。なお、上述したように、図３の線Ｌ１１は、車速を一定（例えば、１０ｋｍ／ｈ）にした場合のアクセル開度と目標制駆動力との関係を示すものである。
【００５２】
よって、通常特性をアクセル開度特性として用いる通常モードでは、アクセル操作が行われると、駆動側の値（つまり、正の値）がアクセル開度と対応する目標制駆動力として決定される。ゆえに、ドライバはアクセル操作により車両１を加速させることができる。また、ブレーキ操作が行われると、制御部１２０は、ブレーキ操作量に応じた制動側の値（つまり、負の値）を目標制駆動力として決定する。ゆえに、ドライバはブレーキ操作により車両１を減速させることができる。
【００５３】
なお、通常特性では、アクセル開度と対応する目標制駆動力が、基本的にアクセル開度の全域に亘って（つまり、大部分のアクセル開度で）駆動側となっていればよく、厳密にアクセル開度の全域に亘って駆動側となっていなくてもよい。つまり、通常特性では、一部のアクセル開度において、目標制駆動力が制動側となっていてもよい。例えば、アクセル操作を解除することによりエンジンブレーキと同程度の小さな制動力を生じさせる目的で、通常特性において、アクセル開度が０［％］であるときに目標制駆動力が僅かに制動側になっていてもよい。このような場合であっても、通常モードでは、ブレーキ操作を行わない限りアクセル操作を解除することのみによっては車両１を停車させる程度の制動力は生じないようになっている。
【００５４】
１ペダル特性では、図３の線Ｌ２１により示されるように、アクセル開度と対応する目標制駆動力がアクセル開度の増大に伴い制動側から駆動側に転じる。具体的には、アクセル開度と対応する目標制駆動力は、アクセル開度が０［％］であるときに制動側となっており、アクセル開度が大きくなるにつれて上昇して０［Ｎ］を超える。ゆえに、目標制駆動力が０［Ｎ］となるアクセル開度より小さなアクセル開度では、目標制駆動力は制動側となっており、目標制駆動力が０［Ｎ］となるアクセル開度より大きなアクセル開度では、目標制駆動力は駆動側となっている。なお、上述したように、図３の線Ｌ２１は、車速を一定（例えば、１０ｋｍ／ｈ）にした場合のアクセル開度と目標制駆動力との関係を示すものである。
【００５５】
よって、１ペダル特性をアクセル開度特性として用いる１ペダルモードでは、アクセル操作が行われた際に、目標制駆動力が０［Ｎ］となるアクセル開度よりも検出されるアクセル開度が小さい場合には、制動側の値がアクセル開度と対応する目標制駆動力として決定され、車両１が減速する。一方、目標制駆動力が０［Ｎ］となるアクセル開度よりも検出されるアクセル開度が大きい場合には、駆動側の値がアクセル開度と対応する目標制駆動力として決定され、車両１が加速する。ゆえに、ドライバはアクセル操作により車両１を加速及び減速させることができる。具体的には、１ペダルモードでは、ブレーキ操作を行わなくてもアクセル操作を解除することのみによって車両１を停車させる程度の制動力が生じるようになっている。なお、制御部１２０は、１ペダルモードにおいて、ブレーキ操作が行われた際に、通常モードと同様に、ブレーキ操作量に応じた制動側の値を目標制駆動力として決定する。ゆえに、ドライバはアクセル操作の他にブレーキ操作によっても車両１を減速させることができる。
【００５６】
上記のように、車両１では、１ペダル特性をアクセル開度特性として用いる１ペダルモードを通常走行制御における制御モードとして設定可能となっている。それにより、通常走行制御における操作性を向上させることができる。
【００５７】
ＡＣＣでは、制御部１２０は、先行車両の有無、自車両と先行車両との間の車間距離及び自車両と先行車両との相対速度等の先行車両に関する情報に基づいて車両１の目標制駆動力を決定し、車両１の制駆動力が当該目標制駆動力になるように車両１の加減速度を制御する。具体的には、制御部１２０は、基本的に、自車両と先行車両との間の車間距離が設定距離に維持されるように目標制駆動力を決定する。また、制御部１２０は、先行車両が認識されていない場合等には、車両１の車速が設定速度に維持されるように目標制駆動力を決定する。なお、設定距離及び設定速度は、制御装置１００の記憶素子に記憶されており、ドライバによる入力操作に応じて変更されるようになっていてもよい。ＡＣＣは、具体的には、車速センサ９１及び先行車両センサ９２による検出結果を利用することによって、適切に実現される。
【００５８】
ここで、制御部１２０は、ＡＣＣにおいて、追い越し走行等の特定の走行をドライバの意図に即して実現させるために、アクセル開度と対応する目標制駆動力がＡＣＣにおける目標制駆動力を超えた場合に、アクセル開度と対応する目標制駆動力に基づいて車両１の加減速度を制御するオーバーライドを実行する。具体的には、制御部１２０は、検出されるアクセル開度に基づいて当該アクセル開度と対応する目標制駆動力を決定し、当該目標制駆動力とＡＣＣにおける目標制駆動力とを比較する。そして、アクセル開度と対応する目標制駆動力がＡＣＣにおける目標制駆動力を超えたと判定される場合に、オーバーライドを実行する。
【００５９】
上記で説明したように、制御装置１００の制御部１２０は、通常走行制御とＡＣＣとを切り替えて実行可能である。また、制御部１２０は、通常走行制御において、通常特性をアクセル開度特性として用いる通常モードと、１ペダル特性をアクセル開度特性として用いる１ペダルモードとを制御モードとして切り替えて実行可能である。また、制御部１２０は、ＡＣＣにおいて、アクセル開度と対応する目標制駆動力がＡＣＣにおける目標制駆動力を超えた場合にオーバーライドを実行する。
【００６０】
ここで、オーバーライド用のアクセル開度特性として、通常走行制御における制御モードとして設定されているモードで用いられるアクセル開度特性が用いられることが考えられる。なお、オーバーライド用のアクセル開度特性は、オーバーライドを実行するか否かの判定及びオーバーライドの実行中において、アクセル開度と対応する目標制駆動力を決定するために用いられるアクセル開度特性を意味する。
【００６１】
例えば、図３に示される例では、線Ｌ１１により示される通常特性でのＡＣＣにおける目標制駆動力Ｆ＿ＡＣＣと対応するアクセル開度は、開度ＡＯ１１となっている。ゆえに、通常走行制御における制御モードとして通常モードが設定されており、通常特性がオーバーライド用のアクセル開度特性として用いられる場合、目標制駆動力Ｆ＿ＡＣＣと対応するアクセル開度は開度ＡＯ１１となる。一方、図３に示される例では、線Ｌ２１により示される１ペダル特性でのＡＣＣにおける目標制駆動力Ｆ＿ＡＣＣと対応するアクセル開度は、開度ＡＯ１１よりも大きな開度ＡＯ２１となっている。ゆえに、通常走行制御における制御モードとして１ペダルモードが設定されており、１ペダル特性がオーバーライド用のアクセル開度特性として用いられる場合、目標制駆動力Ｆ＿ＡＣＣと対応するアクセル開度は開度ＡＯ１１よりも大きな開度ＡＯ２１となる。
【００６２】
上記のように、通常走行制御における制御モードとして１ペダルモードが設定されている場合にオーバーライド用のアクセル開度特性として１ペダル特性を用いると、図３の点Ｐ１により示されるように、オーバーライドを実行させるために必要なアクセル開度が開度ＡＯ１１よりも大きな開度ＡＯ２１となる。ゆえに、オーバーライド用のアクセル開度特性として通常特性を用いる場合と比較して、オーバーライドを実行させるために必要なアクセル開度が大きくなってしまい、アクセル操作量の増大に伴い操作性が低下してしまうおそれがある。
【００６３】
そこで、上記のアクセル操作量の増大に伴う操作性の低下を抑制するために、通常走行制御における制御モードとして１ペダルモードが設定されている場合に、オーバーライド用のアクセル開度特性として通常特性が用いられることが考えられる。しかしながら、ドライバが１ペダルモードでの操作に慣れている状況であること等に起因して、１ペダル特性での目標制駆動力Ｆ＿ＡＣＣと対応するアクセル開度である開度ＡＯ２１でアクセル操作が行われるおそれがある。この場合、実際にはオーバーライド用のアクセル開度特性として通常特性が用いられているので、図３の点Ｐ２により示されるように、アクセル開度と対応する目標制駆動力が目標制駆動力Ｆ＿ＡＣＣを大きく超えた値に決定されてしまい、車両１の急加速が生じてしまうおそれがある。
【００６４】
一方、本実施形態では、制御部１２０は、ＡＣＣにおいて、通常走行制御における制御モードとして１ペダルモードが設定されている場合、オーバーライド用のアクセル開度特性として、アクセル開度と対応する目標制駆動力がアクセル開度の全域に亘って１ペダル特性より大きく、かつ、通常特性より小さくなっている中間特性を用いて、アクセル開度と対応する目標制駆動力を決定する。それにより、１ペダルモードを制御モードとして設定可能な車両１のＡＣＣにおける操作性を適切に向上させることが可能となる。このような制御装置１００により行われるオーバーライドに関する制御の詳細については、後述にて説明する。
【００６５】
＜２．制御装置の動作＞
続いて、図４〜図８を参照して、本発明の実施形態に係る制御装置１００の動作について説明する。なお、以下では、制御装置１００が行う処理の流れの例として、第１の例及び第２の例をこの順に説明する。
【００６６】
［２−１．第１の例］
まず、図４及び図５を参照して、制御装置１００が行う処理の流れの第１の例について説明する。
【００６７】
図４は、制御装置１００が行う処理の流れの第１の例を示すフローチャートである。図４に示される制御フローは、具体的には、ＡＣＣの実行中に制御部１２０により繰り返し実行される。
【００６８】
図４に示される制御フローが開始されると、まず、ステップＳ５０１において、制御部１２０は、通常走行制御における制御モードとして１ペダルモードが設定されているか否かを判定する。通常走行制御における制御モードとして１ペダルモードが設定されていると判定された場合（ステップＳ５０１／ＹＥＳ）、ステップＳ５０２に進む。一方、通常走行制御における制御モードとして１ペダルモードが設定されていない（つまり、通常モードが設定されている）と判定された場合（ステップＳ５０１／ＮＯ）、ステップＳ５０３に進む。
【００６９】
ステップＳ５０１でＹＥＳと判定された場合、ステップＳ５０２において、制御部１２０は、オーバーライド用のアクセル開度特性として中間特性を設定する。
【００７０】
ここで、図５を参照して、中間特性について説明する。
【００７１】
図５は、中間特性におけるアクセル開度と目標制駆動力との関係の一例を示す図である。図５では、中間特性におけるアクセル開度と目標制駆動力との関係が線Ｌ３１により示されている。
【００７２】
中間特性では、図５の線Ｌ３１により示されるように、アクセル開度と対応する目標制駆動力がアクセル開度の全域に亘って１ペダル特性より大きく、かつ、通常特性より小さくなっている。具体的には、図５に示されるように、各アクセル開度において、中間特性を示す線Ｌ３１は、１ペダル特性を示す線Ｌ２１より上側（つまり、駆動側）に位置し、かつ、通常特性を示す線Ｌ１１より下側（つまり、制動側）に位置している。
【００７３】
上記のように、通常走行制御における制御モードとして１ペダルモードが設定されている場合にオーバーライド用のアクセル開度特性として中間特性が設定されることによって、オーバーライドを実行するか否かの判定及びオーバーライドの実行中において、アクセル開度と対応する目標制駆動力の決定に中間特性が用いられる。それにより、アクセル操作量の増大に伴う操作性の低下及び車両１の急加速を抑制することができるので、車両１のＡＣＣにおける操作性を適切に向上させることが可能となる。
【００７４】
例えば、図５に示される例では、線Ｌ３１により示される中間特性でのＡＣＣにおける目標制駆動力Ｆ＿ＡＣＣと対応するアクセル開度は、開度ＡＯ１１よりも大きく、かつ、開度ＡＯ２１よりも小さな開度ＡＯ３１となっている。ゆえに、通常走行制御における制御モードとして１ペダルモードが設定されている場合に、中間特性をオーバーライド用のアクセル開度特性として用いることによって、図５の点Ｐ３により示されるように、オーバーライドを実行させるために必要なアクセル開度を開度ＡＯ１１よりも大きく、かつ、開度ＡＯ２１よりも小さな開度ＡＯ３１にすることができる。
【００７５】
よって、オーバーライド用のアクセル開度特性として１ペダル特性を用いる場合と比較して、オーバーライドを実行させるために必要なアクセル開度を小さくすることができるので、アクセル操作量の増大に伴う操作性の低下を抑制することができる。さらに、１ペダル特性での目標制駆動力Ｆ＿ＡＣＣと対応するアクセル開度である開度ＡＯ２１でアクセル操作が行われた場合であっても、オーバーライド用のアクセル開度特性として通常特性が用いられる場合と比較して、アクセル開度と対応する目標制駆動力が目標制駆動力Ｆ＿ＡＣＣから乖離することを抑制することができるので、車両１の急加速を抑制することができる。
【００７６】
ステップＳ５０１でＮＯと判定された場合、ステップＳ５０３において、制御部１２０は、オーバーライド用のアクセル開度特性として通常特性を設定する。
【００７７】
ステップＳ５０２又はステップＳ５０３の次に、ステップＳ５０４において、制御部１２０は、アクセル開度と対応する目標制駆動力がＡＣＣにおける目標制駆動力を超えたか否かを判定する。アクセル開度と対応する目標制駆動力がＡＣＣにおける目標制駆動力を超えたと判定された場合（ステップＳ５０４／ＹＥＳ）、ステップＳ５０５に進む。一方、アクセル開度と対応する目標制駆動力がＡＣＣにおける目標制駆動力を超えていないと判定された場合（ステップＳ５０４／ＮＯ）、図４に示される制御フローは終了する。
【００７８】
ここで、オーバーライド用のアクセル開度特性として中間特性が設定されている場合、制御部１２０は、中間特性を用いてアクセル開度と対応する目標制駆動力を決定し、当該目標制駆動力がＡＣＣにおける目標制駆動力を超えたか否かを判定する。一方、オーバーライド用のアクセル開度特性として通常特性が設定されている場合、制御部１２０は、通常特性を用いてアクセル開度と対応する目標制駆動力を決定し、当該目標制駆動力がＡＣＣにおける目標制駆動力を超えたか否かを判定する。
【００７９】
ステップＳ５０４でＹＥＳと判定された場合、ステップＳ５０５において、制御部１２０は、オーバーライドを実行する。それにより、車両１の加減速度がアクセル開度と対応する目標制駆動力に基づいて制御される。ゆえに、追い越し走行等の特定の走行をドライバの意図に即して実現させることができる。
【００８０】
次に、図４に示される制御フローは終了する。
【００８１】
上述したように、図４に示される制御フローは、ＡＣＣの実行中に繰り返し実行されるので、アクセル開度と対応する目標制駆動力がＡＣＣにおける目標制駆動力を超えた状態が維持され続ける間、ステップＳ５０５の処理（つまり、オーバーライドの実行）が継続する。一方、アクセル開度と対応する目標制駆動力がＡＣＣにおける目標制駆動力を超えた後においてアクセル操作が解除された場合、オーバーライドは停止し、車両１の加減速度がＡＣＣにおける目標制駆動力（つまり、先行車両に関する情報に基づいて決定される目標制駆動力）に基づいて制御される状態になる。
【００８２】
［２−２．第２の例］
次に、図６及び図７を参照して、制御装置１００が行う処理の流れの第２の例について説明する。
【００８３】
図６は、制御装置１００が行う処理の流れの第２の例を示すフローチャートである。図６に示される制御フローは、具体的には、図４に示される制御フローと同様に、ＡＣＣの実行中に制御部１２０により繰り返し実行される。
【００８４】
第２の例では、上述した第１の例と比較して、通常走行制御における制御モードとして１ペダルモードが設定されていると判定された場合におけるオーバーライド用のアクセル開度特性の設定に関する処理の流れが異なる。
【００８５】
図６に示される第２の例に係る制御フローでは、ステップＳ５０１でＮＯと判定された場合、図４に示される第１の例に係る制御フローと同様に、ステップＳ５０３に進む。一方、ステップＳ５０１でＹＥＳと判定された場合、図４に示される第１の例に係る制御フローと異なり、ステップＳ６０１に進む。
【００８６】
ステップＳ５０１でＹＥＳと判定された場合、ステップＳ６０１において、制御部１２０は、通常特性と１ペダル特性との間でのＡＣＣにおける目標制駆動力と対応するアクセル開度の差が閾値より小さいか否かを判定する。通常特性と１ペダル特性との間でのＡＣＣにおける目標制駆動力と対応するアクセル開度の差が閾値以上であると判定された場合（ステップＳ６０１／ＮＯ）、ステップＳ５０２に進む。一方、通常特性と１ペダル特性との間でのＡＣＣにおける目標制駆動力と対応するアクセル開度の差が閾値より小さいと判定された場合（ステップＳ６０１／ＹＥＳ）、ステップＳ６０２に進む。
【００８７】
図７は、ＡＣＣにおける目標制駆動力が比較的大きい場合における各アクセル開度特性での当該目標制駆動力と対応するアクセル開度について説明するための図である。
【００８８】
例えば、図７に示される例では、ＡＣＣにおける目標制駆動力Ｆ＿ＡＣＣ’が図５に示される例のＡＣＣにおける目標制駆動力Ｆ＿ＡＣＣと比較して大きくなっている。それにより、線Ｌ１１により示される通常特性での目標制駆動力Ｆ＿ＡＣＣ’と対応するアクセル開度である開度ＡＯ１１’と、線Ｌ２１により示される１ペダル特性での目標制駆動力Ｆ＿ＡＣＣ’と対応するアクセル開度である開度ＡＯ２１’との差が、図５における開度ＡＯ１１と開度ＡＯ２１との差と比較して小さくなっている。なお、線Ｌ３１により示される中間特性での目標制駆動力Ｆ＿ＡＣＣ’と対応するアクセル開度は、開度ＡＯ１１’よりも大きく、かつ、開度ＡＯ２１’よりも小さな開度ＡＯ３１’となっている。
【００８９】
上記のようにＡＣＣにおける目標制駆動力が比較的大きい場合等に、通常特性と１ペダル特性との間でのＡＣＣにおける目標制駆動力と対応するアクセル開度の差（例えば図７に示される例における開度ＡＯ１１’と開度ＡＯ２１’との差）が閾値より小さいと判定された場合、ステップＳ６０２に進み、後述するように、オーバーライド用のアクセル開度特性として１ペダル特性が設定される。それにより、例えば、図７に示される例では、点Ｐ２’により示されるように、オーバーライドを実行させるために必要なアクセル開度が開度ＡＯ２１’となる。
【００９０】
ここで、上記の閾値は、オーバーライド用のアクセル開度特性として通常特性を用いる場合と１ペダル特性を用いる場合との間で、アクセル操作量の差に起因する操作性の差が軽微であるか否かを適切に判断し得る値に設定される。よって、通常特性と１ペダル特性との間でのＡＣＣにおける目標制駆動力と対応するアクセル開度の差が閾値より小さいと判定された場合に、オーバーライド用のアクセル開度特性として１ペダル特性を用いることによって、オーバーライド用のアクセル開度特性として中間特性が不必要に用いられることを抑制することができる。それにより、例えば、車両１の急加速をより効果的に抑制することができる。また、制御部１２０は、設定されている制御モードを、ドライバに通知するために、表示装置７１に表示させてもよい。このような場合には、オーバーライド用のアクセル開度特性として中間特性が不必要に用いられることを抑制することによって、実際にオーバーライド用のアクセル開度特性として用いられている制御モードと表示されている制御モードとが相違することに起因してドライバに違和感が与えられることを抑制することができる。
【００９１】
ステップＳ６０１でＮＯと判定された場合、ステップＳ５０２において、制御部１２０は、オーバーライド用のアクセル開度特性として中間特性を設定する。一方、ステップＳ６０１でＹＥＳと判定された場合、ステップＳ６０２において、制御部１２０は、オーバーライド用のアクセル開度特性として１ペダル特性を設定する。
【００９２】
ステップＳ５０２又はステップＳ６０２の次に、ステップＳ５０４に進み、上述した第１の例と同様に、オーバーライドを実行するか否かの判定が行われ、判定結果に応じてオーバーライドが実行される。
【００９３】
上記では、通常走行制御における制御モードとして設定可能な１ペダルモードの数が単数である場合について説明したが、設定可能な１ペダルモードの数は複数であってもよい。なお、設定可能な１ペダルモードの数が複数である場合には、各１ペダルモードで用いられる１ペダル特性は互いに異なる。つまり、制御部１２０は、通常走行制御において、互いに異なる１ペダル特性を用いる複数の１ペダルモードを制御モードとして切り替えて実行可能であってもよい。
【００９４】
図８は、通常走行制御における制御モードとして設定可能な１ペダルモードの数が複数である場合での複数の１ペダル特性及び複数の中間特性の各々におけるアクセル開度と目標制駆動力との関係の一例を示す図である。
【００９５】
例えば、図８に示される例では、上述した線Ｌ２１により示される１ペダル特性の他に、線Ｌ２２により示される１ペダル特性及び線Ｌ２３により示される１ペダル特性がさらに用意されている。線Ｌ２２により示される１ペダル特性では、アクセル開度と対応する目標制駆動力がアクセル開度の全域に亘って線Ｌ２１により示される１ペダル特性より小さくなっている。また、線Ｌ２３により示される１ペダル特性では、アクセル開度と対応する目標制駆動力がアクセル開度の全域に亘って線Ｌ２２により示される１ペダル特性より小さくなっている。
【００９６】
また、図８に示される例では、上述した線Ｌ３１により示される中間特性の他に、線Ｌ３２により示される中間特性及び線Ｌ３３により示される１ペダル特性がさらに用意されている。線Ｌ３２により示される中間特性では、アクセル開度と対応する目標制駆動力がアクセル開度の全域に亘って線Ｌ２２により示される１ペダル特性より大きく、かつ、線Ｌ１１により示される通常特性より小さくなっている。また、線Ｌ３３により示される中間特性では、アクセル開度と対応する目標制駆動力がアクセル開度の全域に亘って線Ｌ２３により示される１ペダル特性より大きく、かつ、線Ｌ１１により示される通常特性より小さくなっている。
【００９７】
上記の例では、制御部１２０は、ＡＣＣにおいて、通常走行制御における制御モードとして線Ｌ２１により示される１ペダルモードが設定されている場合、オーバーライド用のアクセル開度特性として線Ｌ３１により示される中間特性を用いる。また、制御部１２０は、ＡＣＣにおいて、通常走行制御における制御モードとして線Ｌ２２により示される１ペダルモードが設定されている場合、オーバーライド用のアクセル開度特性として線Ｌ３２により示される中間特性を用いる。また、制御部１２０は、ＡＣＣにおいて、通常走行制御における制御モードとして線Ｌ２３により示される１ペダルモードが設定されている場合、オーバーライド用のアクセル開度特性として線Ｌ３３により示される中間特性を用いる。
【００９８】
このように、制御部１２０は、ＡＣＣにおいて、通常走行制御における制御モードとして１ペダルモードが設定されている場合、オーバーライド用のアクセル開度特性として用いられる中間特性を、通常走行制御における制御モードとして設定されている１ペダルモードに応じて異ならせてもよい。それにより、通常走行制御における制御モードとして設定可能な１ペダルモードの数が複数である場合に、オーバーライドを実行させるために必要なアクセル開度を、制御モードとして設定されている１ペダルモードに応じて異ならせることができる。ゆえに、アクセル操作量の増大に伴う操作性の低下及び車両１の急加速を、制御モードとして設定されている１ペダルモードに応じて適切に抑制することができる。
【００９９】
＜３．制御装置の効果＞
続いて、本発明の実施形態に係る制御装置１００の効果について説明する。
【０１００】
本実施形態に係る制御装置１００では、制御部１２０は、通常走行制御とクルーズコントロール（例えば、ＡＣＣ）とを切り替えて実行可能である。また、制御部１２０は、通常走行制御において、通常特性をアクセル開度特性として用いる通常モードと、１ペダル特性をアクセル開度特性として用いる１ペダルモードとを制御モードとして切り替えて実行可能である。また、制御部１２０は、クルーズコントロールにおいて、アクセル開度と対応する目標制駆動力がクルーズコントロールにおける目標制駆動力を超えた場合にオーバーライドを実行する。ここで、本実施形態では、制御部１２０は、クルーズコントロールにおいて、通常走行制御における制御モードとして１ペダルモードが設定されている場合、オーバーライド用のアクセル開度特性として、アクセル開度と対応する目標制駆動力がアクセル開度の全域に亘って１ペダル特性より大きく、かつ、通常特性より小さくなっている中間特性を用いて、アクセル開度と対応する目標制駆動力を決定する。それにより、アクセル操作量の増大に伴う操作性の低下及び車両１の急加速を抑制することができるので、１ペダルモードを制御モードとして設定可能な車両１のクルーズコントロールにおける操作性を適切に向上させることが可能となる。
【０１０１】
また、本実施形態に係る制御装置１００では、制御部１２０は、クルーズコントロールにおいて、通常走行制御における制御モードとして１ペダルモードが設定されている場合であっても、通常特性と１ペダル特性との間でのクルーズコントロールにおける目標制駆動力と対応するアクセル開度の差が閾値より小さい場合には、オーバーライド用のアクセル開度特性として１ペダル特性を用いることが好ましい。それにより、オーバーライド用のアクセル開度特性として中間特性が不必要に用いられることを抑制することができる。ゆえに、例えば、車両１の急加速をより効果的に抑制することができる。
【０１０２】
また、本実施形態に係る制御装置１００では、制御部１２０は、設定されている制御モードを表示装置７１に表示させることが好ましい。それにより、設定されている制御モードをドライバに通知することができる。そして、設定されている制御モードがこのように表示される場合において、通常特性と１ペダル特性との間でのクルーズコントロールにおける目標制駆動力と対応するアクセル開度の差が閾値より小さい場合に、オーバーライド用のアクセル開度特性として１ペダル特性を用いることによって、実際にオーバーライド用のアクセル開度特性として用いられている制御モードと表示されている制御モードとが相違することに起因してドライバに違和感が与えられることを抑制することができる。
【０１０３】
また、本実施形態に係る制御装置１００では、制御部１２０は、通常走行制御において、互いに異なる１ペダル特性を用いる複数の１ペダルモードを制御モードとして切り替えて実行可能である。また、制御部１２０は、クルーズコントロールにおいて、通常走行制御における制御モードとして１ペダルモードが設定されている場合、オーバーライド用のアクセル開度特性として用いられる中間特性を、通常走行制御における制御モードとして設定されている１ペダルモードに応じて異ならせることが好ましい。それにより、オーバーライドを実行させるために必要なアクセル開度を、制御モードとして設定されている１ペダルモードに応じて異ならせることができる。ゆえに、アクセル操作量の増大に伴う操作性の低下及び車両１の急加速を、制御モードとして設定されている１ペダルモードに応じて適切に抑制することができる。
【０１０４】
＜４．むすび＞
以上説明したように、本実施形態に係る制御装置１００では、制御部１２０は、通常走行制御とクルーズコントロール（例えば、ＡＣＣ）とを切り替えて実行可能であり、通常走行制御において、通常特性をアクセル開度特性として用いる通常モードと、１ペダル特性をアクセル開度特性として用いる１ペダルモードとを制御モードとして切り替えて実行可能である。また、制御部１２０は、クルーズコントロールにおいて、アクセル開度と対応する目標制駆動力がクルーズコントロールにおける目標制駆動力を超えた場合にオーバーライドを実行し、通常走行制御における制御モードとして１ペダルモードが設定されている場合、オーバーライド用のアクセル開度特性として、アクセル開度と対応する目標制駆動力がアクセル開度の全域に亘って１ペダル特性より大きく、かつ、通常特性より小さくなっている中間特性を用いて、アクセル開度と対応する目標制駆動力を決定する。それにより、アクセル操作量の増大に伴う操作性の低下及び車両１の急加速を抑制することができるので、１ペダルモードを制御モードとして設定可能な車両１のクルーズコントロールにおける操作性を適切に向上させることが可能となる。
【０１０５】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【０１０６】
例えば、本明細書においてフローチャートを用いて説明した処理は、必ずしもフローチャートに示された順序で実行されなくてもよい。また、追加的な処理ステップが採用されてもよく、一部の処理ステップが省略されてもよい。
【符号の説明】
【０１０７】
１  車両
２１  駆動用モータ
２２  インバータ
２３  バッテリ
３１  ブレーキ装置
３２  油圧供給ユニット
３３  マスタシリンダ
４１  車輪
４２  動力伝達系
５１  アクセルペダル
５２  ブレーキペダル
６１  アクセル開度センサ
６２  ブレーキセンサ
７１  表示装置
９１  車速センサ
９２  先行車両センサ
１００  制御装置
１１０  取得部
１２０  制御部
１２１  モータ制御部
１２２  ブレーキ制御部
１２３  表示制御部
【図１】
2020168915.tif 000003
【図２】
2020168915.tif 000004
【図３】
2020168915.tif 000005
【図４】
2020168915.tif 000006
【図５】
2020168915.tif 000007
【図６】
2020168915.tif 000008
【図７】
2020168915.tif 000009
【図８】
2020168915.tif 000010